【手続補正書】
【提出日】平成16年11月19日(2004.11.19)
【手続補正１】
【補正対象書類名】明細書
【補正対象項目名】発明の名称
【補正方法】変更
【補正の内容】
【発明の名称】プリンタおよび印刷制御方法並びに印刷制御プログラムを記録した記録媒体
【手続補正２】
【補正対象書類名】明細書
【補正対象項目名】特許請求の範囲
【補正方法】変更
【補正の内容】
【特許請求の範囲】
【請求項１】
データを格納した記憶媒体を装着して印刷を実行するプリンタにおいて、
外部からデータを受け取る通信手段と、
前記記憶媒体から読み出したデータの印刷中に、前記通信手段からデータを入力した場合は、該通信手段からデータを入力した旨をユーザに対して通知する通知手段と
を具備することを特徴とするプリンタ。
【請求項２】
前記通知手段は、メッセージ表示手段、通告ランプ、ブザー、音声出力手段の少なくともいずれかを用いて前記通知を行うことを特徴とする請求項１に記載のプリンタ。
【請求項３】
前記通信手段は、有線回線、および移動通信、赤外線通信を含む無線回線のいずれかの通信回線を用いてデータ通信を行うことを特徴とする請求項１または２に記載のプリンタ。
【請求項４】
前記記憶媒体から読み出したデータを印刷中に、前記通信手段からデータを入力した場合には、該通信手段から入力したデータの印刷を実行中の該記憶媒体からのデータの印刷を一時中断して行うか否かをユーザに選択させるための表示を行う表示手段を更に有することを特徴とする請求項１ないし３のいずれかに記載のプリンタ。
【請求項５】
前記表示手段は、前記記憶媒体から読み出したデータを印刷中に、前記通信手段にデータを着信した際には、該通信手段を通じて送られてきたデータの内容を、まず表示用のデータのみを受信して表示することを特徴とする請求項４に記載のプリンタ。
【請求項６】
操作入力手段からのユーザの選択指示に応じて、実行中の前記記憶媒体のデータの印刷に割り込ませて、前記通信手段を通じて送られてきた印刷用のデータを印刷させることを特徴とする請求項５に記載のプリンタ。
【請求項７】
前記記憶媒体から読み出したデータを印刷中か否かに関わらず、前記通信手段からデータを入力した場合には、該通信手段から入力したデータの印刷を行うか否かをユーザに選択させるための表示を行う表示手段を更に有することを特徴とする請求項１ないし３のいずれかに記載のプリンタ。
【請求項８】
前記表示手段は、前記通信手段からデータを着信した際には、該通信手段を通じて送られてきたデータの内容を、まず表示用のデータのみを受信して表示することを特徴とする請求項７に記載のプリンタ。
【請求項９】
操作入力手段からのユーザの選択指示に応じて、前記通信手段を通じて送られてきた印刷用のデータを印刷させることを特徴とする請求項８に記載のプリンタ。
【請求項１０】
前記通知手段、前記表示手段および前記操作入力手段は、プリンタ本体とは別体のリモートコントロールデバイスに装備されていることを特徴とする請求項６または９に記載のプリンタ。
【請求項１１】
前記プリンタは移動通信機能を有する移動通信型プリンタであることを特徴とする請求項１ないし１０のいずれかに記載のプリンタ。
【請求項１２】
前記通信手段からデータを着信した場合には、該データの送出元の識別番号を記憶する記憶手段を更に有することを特徴とする請求項１ないし１１のいずれかに記載のプリンタ。
【請求項１３】
データを格納した記憶媒体を装着して印刷を実行する印刷制御方法において、
通信回線を通じて外部からデータを受け取る受信ステップと、
前記記憶媒体から読み出したデータの印刷中に、前記外部からデータを入力した場合は、該外部からデータを入力した旨を通知する通知ステップと
を有することを特徴とする印刷制御方法。
【請求項１４】
前記通知ステップでは、メッセージ表示手段、通告ランプ、ブザー、音声出力手段の少なくともいずれかを用いて前記通知を行うことを特徴とする請求項１３に記載の印刷制御方法。
【請求項１５】
前記通信回線は、有線回線、および移動通信、赤外線通信を含む無線回線のいずれかであることを特徴とする請求項１３または１４に記載の印刷制御方法。
【請求項１６】
前記記憶媒体から読み出したデータを印刷中に、前記外部からデータを入力した場合には、該外部から入力したデータの印刷を実行中の該記憶媒体からのデータの印刷を一時中断して行うか否かをユーザに選択させるための表示を行う表示ステップを更に有することを特徴とする請求項１３ないし１５のいずれかに記載の印刷制御方法。
【請求項１７】
前記表示ステップでは、前記記憶媒体から読み出したデータを印刷中に、前記外部からデータを着信した際には、送られてきた該データの内容を、まず表示用のデータのみを受信して表示することを特徴とする請求項１６に記載の印刷制御方法。
【請求項１８】
ユーザの選択指示に応じて、実行中の前記記憶媒体のデータの印刷に割り込ませて、前記通信回線を通じて送られてきた印刷用のデータを印刷させることを特徴とする請求項１７に記載の印刷制御方法。
【請求項１９】
前記記憶媒体から読み出したデータを印刷中か否かに関わらず、前記外部からデータを入力した場合には、該外部から入力したデータの印刷を行うか否かをユーザに選択させるための表示を行う表示ステップを更に有することを特徴とする請求項１３ないし１５のいずれかに記載の印刷制御方法。
【請求項２０】
前記表示ステップでは、前記外部からデータを着信した際には、送られてきた該データの内容を、まず表示用のデータのみを受信して表示することを特徴とする請求項１９に記載の印刷制御方法。
【請求項２１】
ユーザの選択指示に応じて、前記通信回線を通じて送られてきた印刷用のデータを印刷させることを特徴とする請求項２０に記載の印刷制御方法。
【請求項２２】
前記通信回線を通じてデータを着信した場合には、該データの送出元の識別番号を記憶する記憶ステップを更に有することを特徴とする請求項１３ないし２１のいずれかに記載の印刷制御方法。
【請求項２３】
データを格納した記憶媒体を装着してコンピュータを介して印刷を実行するための制御プログラムを記録した記録媒体において、該制御プログラムはコンピュータに、
前記記憶媒体から読み出したデータの印刷中に、通信回線を通じて外部からデータを入力した場合には、該外部からデータを入力した旨を通知させることを特徴とする印刷制御プログラムを記録した記録媒体。
【請求項２４】
前記制御プログラムはコンピュータに、
前記記憶媒体から読み出したデータを印刷中に、前記外部からデータを入力した場合には、該外部から入力したデータの印刷を実行中の該記憶媒体からのデータの印刷を一時中断して行うか否かをユーザに選択させるための表示を行わせることを特徴とする請求項２３に記載の印刷制御プログラムを記録した記録媒体。
【請求項２５】
前記制御プログラムはコンピュータに、
前記記憶媒体から読み出したデータを印刷中に、前記外部からデータを着信した際には、送られてきた該データの内容を、まず表示用のデータのみを受信して表示させることを特徴とする請求項２４に記載の印刷制御プログラムを記録した記録媒体。
【請求項２６】
前記制御プログラムはコンピュータに、
ユーザの選択指示に応じて、実行中の前記記憶媒体のデータの印刷に割り込ませて、前記通信回線を通じて送られてきた印刷用のデータを印刷させることを特徴とする請求項２５に記載の印刷制御プログラムを記録した記録媒体。
【請求項２７】
前記制御プログラムはコンピュータに、
前記記憶媒体から読み出した写真データを印刷中か否かに関わらず、前記外部からデータを入力した場合には、該外部から入力したデータの印刷を行うか否かをユーザに選択させるための表示を行わせることを特徴とする請求項２４に記載の印刷制御プログラムを記録した記録媒体。
【請求項２８】
前記制御プログラムはコンピュータに、
前記外部からデータを着信した際には、送られてきた該データの内容を、まず表示用のデータのみを受信して表示させることを特徴とする請求項２７に記載の印刷制御プログラムを記録した記録媒体。
【請求項２９】
前記制御プログラムはコンピュータに、
ユーザの選択指示に応じて、前記通信回線を通じて送られてきた印刷用のデータを印刷させることを特徴とする請求項２８に記載の印刷制御プログラムを記録した記録媒体。
【請求項３０】
前記制御プログラムはコンピュータに、
前記通信回線を通じてデータを着信した場合には、該データの送出元の識別番号を記憶させることを特徴とする請求項２３ないし２９のいずれかに記載の印刷制御プログラムを記録した記録媒体。
【手続補正３】
【補正対象書類名】明細書
【補正対象項目名】０００１
【補正方法】変更
【補正の内容】
【０００１】
【発明の属する技術分野】
本発明は、データ（例えば、写真データ）を格納した記憶媒体を装着して写真等を印刷する機能と、外部から通信手段を介してデータ（例えば、写真データ）を入力して写真等を印刷する機能を備えたプリンタおよび印刷制御方法並びに印刷制御プログラムを記録した記録媒体に関する。
【手続補正４】
【補正対象書類名】明細書
【補正対象項目名】０００５
【補正方法】変更
【補正の内容】
【０００５】
本発明は、上述の点に鑑みてなされもので、その目的は電話にキャッチホンがあるように、プリンタ（例えば、フォトプリンタ）にも、自家印刷中の着信お知らせ機能を提供することにある。
【手続補正５】
【補正対象書類名】明細書
【補正対象項目名】０００７
【補正方法】変更
【補正の内容】
【０００７】
【課題を解決するための手段】
上記目的を達成するため、請求項１のプリンタの発明は、データを格納した記憶媒体を装着して印刷を実行するプリンタにおいて、外部からデータを受け取る通信手段と、前記記憶媒体から読み出したデータの印刷中に、前記通信手段からデータを入力した場合は、該通信手段からデータを入力した旨をユーザに対して通知する通知手段とを具備することを特徴とする。
【手続補正６】
【補正対象書類名】明細書
【補正対象項目名】００１０
【補正方法】変更
【補正の内容】
【００１０】
好ましくは、前記記憶媒体から読み出したデータを印刷中に、前記通信手段からデータを入力した場合には、該通信手段から入力したデータの印刷を実行中の該記憶媒体からのデータの印刷を一時中断して行うか否かをユーザに選択させるための表示を行う表示手段を更に有する。
【手続補正７】
【補正対象書類名】明細書
【補正対象項目名】００１１
【補正方法】変更
【補正の内容】
【００１１】
好ましくは、前記表示手段は、前記記憶媒体から読み出したデータを印刷中に、前記通信手段にデータを着信した際には、該通信手段を通じて送られてきたデータの内容を、まず表示用のデータのみを受信して表示する。
【手続補正８】
【補正対象書類名】明細書
【補正対象項目名】００１２
【補正方法】変更
【補正の内容】
【００１２】
好ましくは、操作入力手段からのユーザの選択指示に応じて、実行中の前記記憶媒体のデータの印刷に割り込ませて、前記通信手段を通じて送られてきた印刷用のデータを印刷させる。
【手続補正９】
【補正対象書類名】明細書
【補正対象項目名】００１３
【補正方法】変更
【補正の内容】
【００１３】
好ましくは、前記記憶媒体から読み出したデータを印刷中か否かに関わらず、前記通信手段からデータを入力した場合には、該通信手段から入力したデータの印刷を行うか否かをユーザに選択させるための表示を行う表示手段を更に有する。
【手続補正１０】
【補正対象書類名】明細書
【補正対象項目名】００１４
【補正方法】変更
【補正の内容】
【００１４】
好ましくは、前記表示手段は、前記通信手段からデータを着信した際には、該通信手段を通じて送られてきたデータの内容を、まず表示用のデータのみを受信して表示する。
【手続補正１１】
【補正対象書類名】明細書
【補正対象項目名】００１５
【補正方法】変更
【補正の内容】
【００１５】
好ましくは、操作入力手段からのユーザの選択指示に応じて、前記通信手段を通じて送られてきた印刷用のデータを印刷させる。
【手続補正１２】
【補正対象書類名】明細書
【補正対象項目名】００１６
【補正方法】変更
【補正の内容】
【００１６】
好ましくは、前記通知手段、前記表示手段および前記操作入力手段は、プリンタ本体とは別体のリモートコントロールデバイスに装備されている。
【手続補正１３】
【補正対象書類名】明細書
【補正対象項目名】００１７
【補正方法】変更
【補正の内容】
【００１７】
好ましくは、前記プリンタは移動通信機能を有する移動通信型プリンタである。
【手続補正１４】
【補正対象書類名】明細書
【補正対象項目名】００１８
【補正方法】変更
【補正の内容】
【００１８】
好ましくは、前記通信手段からデータを着信した場合には、該データの送出元の識別番号を記憶する記憶手段を更に有する。
【手続補正１５】
【補正対象書類名】明細書
【補正対象項目名】００１９
【補正方法】変更
【補正の内容】
【００１９】
上記目的を達成するため、請求項１の印刷制御方法の発明は、データを格納した記憶媒体を装着して印刷を実行する印刷制御方法において、通信回線を通じて外部からデータを受け取る受信ステップと、前記記憶媒体から読み出したデータの印刷中に、前記外部からデータを入力した場合は、該外部からデータを入力した旨を通知する通知ステップとを有することを特徴とする。
【手続補正１６】
【補正対象書類名】明細書
【補正対象項目名】００２０
【補正方法】変更
【補正の内容】
【００２０】
好ましくは、前記記憶媒体から読み出したデータを印刷中に、前記外部からデータを入力した場合には、該外部から入力したデータの印刷を実行中の該記憶媒体からのデータの印刷を一時中断して行うか否かをユーザに選択させるための表示を行う表示ステップを更に有する。
【手続補正１７】
【補正対象書類名】明細書
【補正対象項目名】００２１
【補正方法】変更
【補正の内容】
【００２１】
好ましくは、前記表示ステップでは、前記記憶媒体から読み出したデータを印刷中に、前記外部からデータを着信した際には、送られてきた該データの内容を、まず表示用のデータのみを受信して表示する。
【手続補正１８】
【補正対象書類名】明細書
【補正対象項目名】００２２
【補正方法】変更
【補正の内容】
【００２２】
上記目的を達成するため、請求項２３の記録媒体の発明は、データを格納した記憶媒体を装着してコンピュータを介して印刷を実行するための制御プログラムを記録した記録媒体において、該制御プログラムはコンピュータに、前記記憶媒体から読み出したデータの印刷中に、通信回線を通じて外部からデータを入力した場合には、該外部からデータを入力した旨を通知させることを特徴とする。
【手続補正１９】
【補正対象書類名】明細書
【補正対象項目名】００２３
【補正方法】変更
【補正の内容】
【００２３】
好ましくは、前記制御プログラムはコンピュータに、前記記憶媒体から読み出したデータを印刷中に、前記外部からデータを入力した場合には、該外部から入力したデータの印刷を実行中の該記憶媒体からのデータの印刷を一時中断して行うか否かをユーザに選択させるための表示を行わせる。
【手続補正２０】
【補正対象書類名】明細書
【補正対象項目名】００２４
【補正方法】変更
【補正の内容】
【００２４】
好ましくは、前記制御プログラムはコンピュータに、前記記憶媒体から読み出したデータを印刷中に、前記外部からデータを着信した際には、送られてきた該データの内容を、まず表示用のデータのみを受信して表示させる。
【手続補正２１】
【補正対象書類名】明細書
【補正対象項目名】００６１
【補正方法】変更
【補正の内容】
【００６１】
また、本発明によれば、メモリカードのデータの印刷中の通信回線からのデータの着信に際し、通信回線を通じて送られてきたデータ（例えば写真データ）の内容を、まずは表示用データのみの受信で、ユーザが確認の上、実行中のメモリカードの印刷に割り込ませるか、拒否するかをユーザの判断により選択することを可能とすることで、例えばユーザにとってより重要度や緊急性の高いデータ（例えば写真）の方を先に印刷できる。その際、通信回線から送られてきたデータ（例えば写真データ）の内容確認に用いる表示用データは、データ容量も小さいので無駄に通信回線を混雑させる心配もない。
【手続補正２２】
【補正対象書類名】明細書
【補正対象項目名】００６２
【補正方法】変更
【補正の内容】
【００６２】
また、本発明によれば、プリンタ（例えば、フォトプリンタ）を移動通信型とすることにより、上記の本発明の効果をいつでもどこでも得ることができる。